(57)【要約】【課題】  内燃機関内で発生したブローバイガスとオイルミストを分離するブリーザ室を具備したコンパクトで分離性能の高い４ストロークサイクル内燃機関を提供することにある。【解決手段】  シリンダヘッド6とヘッドカバー7の間で動弁機構を収容する動弁室51と、該シリンダヘッド6およびシリンダヘッドカバー7で構成され、カムチェーン28を収容するカムチェーン室35と、前記カムチェーン28が巻き掛けられるドリブンスプロケット26と、前記ヘッドカバー7の上部を動弁室51の間に形成されるブリーザ室46とを備えた車両搭載用４ストロークサイクル内燃機関1において、前記ドリブンスプロケット26外周に沿って対向して円弧状に形成された障壁50が、前記ドリブンスプロケットのブリーザ室46側の側方に設けられている。【選択図】  図３
2010229830.tif 000002
【特許請求の範囲】
【請求項１】
シリンダヘッド６とヘッドカバー７の間で動弁機構を収容する動弁室39と、
該シリンダヘッド６およびシリンダヘッドカバー７で構成され、動弁伝達系カムチェーン28を収容するカムチェーン室39と、
前記カムチェーン28が巻き掛けられるカムチェーンスプロケット26、27と、
前記ヘッドカバー７の上部と動弁室39の間に形成されるブリーザ室46とを備えた車両搭載用４ストロークサイクル内燃機関１において、
前記カムチェーンスプロケットの内のドリブンスプロケット26外周に沿い対向して円弧状に形成された障壁50が、前記ドリブンスプロケット26のブリーザ室46側の側方に設けられたことを特徴とする車両搭載用４ストロークサイクル内燃機関。
【請求項２】
前記ブリーザ室46のブリーザ室入口47、48は、前記ドリブンスプロケット26の回転中心軸に対し直交する方向に開口されたことを特徴とする請求項１記載の車両搭載用４ストロークサイクル内燃機関。
【請求項３】
前記ドリブンスプロケット26の回転中心軸方向から見て、前記障壁50は下に開く逆Ｕ字形状に形成されたことを特徴とする請求項１または請求項２記載の車両搭載用４ストロークサイクル内燃機関。
【請求項４】
前記ドリブンスプロケット26の回転中心軸方向から見て、前記逆Ｕ字形状障壁50のいずれか一方または両方の端部はカムチェーンテンショナ36およびカムチェーンガイド37のいずれか一方または両方よりも外側に設けられたことを特徴とする請求項１ないし請求項３いずれか記載の車両搭載用４ストロークサイクル内燃機関。
【請求項５】
前記障壁50はシリンダヘッドカバー７に一体に形成され、該シリンダヘッドカバー７の下端は、カム軸21の下方まで延長したことを特徴とする請求項１ないし請求項４いずれか記載の車両搭載用４ストロークサイクル内燃機関。
【請求項６】
前記内燃機関は、クランク軸８が車幅方向に指向して車両に搭載され、
前記シリンダヘッドカバー７の後方に前記ドリブンスプロケット26が配置され、該シリンダヘッドカバー７の下端面は前方に向って斜め下に傾斜して形成されたことを特徴とする請求項１ないし請求項５いずれか記載の車両搭載用４ストロークサイクル内燃機関。
【請求項７】
前記シリンダヘッドカバー７に取付けられ、ブリーザ室46を構成するブリーザプレート51を備え、
障壁52は前記ブリーザプレート51に一体に形成されたことを特徴とする請求項１ないし請求項４いずれか記載の車両搭載用４ストロークサイクル内燃機関。
【発明の詳細な説明】
【技術分野】
【０００１】
本発明は、ブリーザ室を備えた４ストロークサイクル内燃機関に関するものである。
【背景技術】
【０００２】
内燃機関において、燃焼室からクランク室内に漏れたブローバイガスと内燃機関内に飛散するオイルミストとの混合物をブリーザ室でもって分離し、ブローバイガスを吸気系に導くブリーバイガス還元装置では、オイルミストの少ない環境下でブリーザ室に導入することが望ましい。
【０００３】
ヘッドカバーの上部と、動弁機構を収容する動弁室との間にブリーザプレートが介装され、ヘッドカバーとブリーザプレートとの間にブリーザ室が形成された４ストロークサイクル内燃機関（実開平５−７７５２２号公報）があった。
【先行技術文献】
【特許文献】
【０００４】
【特許文献１】実開平５−７７５２２号公報
【発明の概要】
【発明が解決しようとする課題】
【０００５】
前記特許文献１記載の直立型４ストロークサイクル内燃機関では、シリンダヘッドカバーとその下方に配置された動弁機構との間にプレート部材が介装され、このプレート部材によってシリンダヘッドカバー下方にブリーザ室が形成されている。
【０００６】
プレート部材の下方の動弁機構や、クランク軸から動弁機構に弁駆動動力を伝達する動弁系動力伝達機構で発生するオイルミストをブローバイガスから分離するために、カムシャフトの一端に設けられている動力伝達機構からカムシャフトの他端に亘ってプレート部材が張設され、このプレート部材の両側部は、カムシャフトと平行な折目を境にして下方へ直角に折曲されている。
【０００７】
特許文献１記載の内燃機関では、プレート部材がスプロケットの側方に延設されているが、この延設部は動弁系動力伝達機構で発生するオイルミストがブリーザ室入口方向に飛散するのを防ぐ役割を果たしておらず、オイルミストの少ない環境を作れず、ブリーザ性能が低下するという課題がある。
【０００８】
また、プレート部材がシリンダヘッドカバーの略全長に亘って張設されているため、ブリーザ室の高さ分だけ、内燃機関の高さが増大し、内燃機関の小型化の点で不利となる。
【０００９】
本発明は、このような課題を解消した４ストロークサイクル内燃機関を提供することにある。
【課題を解決するための手段】
【００１０】
請求項１記載の発明は、シリンダヘッド６とヘッドカバー７の間で動弁機構を収容する動弁室39と、該シリンダヘッド６およびシリンダヘッドカバー７で構成され、動弁伝達系カムチェーン28を収容するカムチェーン室39と、前記カムチェーン28が巻き掛けられるカムチェーンスプロケット26、27と、前記ヘッドカバー７の上部と動弁室39の間に形成されるブリーザ室46とを備えた車両搭載用４ストロークサイクル内燃機関１において、前記カムチェーンスプロケットの内のドリブンスプロケット26外周に沿い対向して円弧状に形成された障壁50が、前記ドリブンスプロケット26のブリーザ室46側の側方に設けられたことを特徴とするものである。
【００１１】
請求項２記載の発明は、前記ブリーザ室46のブリーザ室入口47、48は、前記ドリブンスプロケット26の回転中心軸に対し直交する方向に開口されたことを特徴とするものである。
【００１２】
請求項３記載の発明は、前記ドリブンスプロケット26の回転中心軸方向から見て、前記障壁50は下に開く逆Ｕ字形状に形成されことを特徴とするものである。
【００１３】
請求項４記載の発明は、前記ドリブンスプロケット26の回転中心軸方向から見て、前記逆Ｕ字形状障壁50のいずれか一方または両方の端部はカムチェーンテンショナ36およびカムチェーンガイド37のいずれか一方または両方よりも外側に設けられたことを特徴とするものである。
【００１４】
請求項５記載の発明は、前記障壁50はシリンダヘッドカバー７に一体に形成され、該シリンダヘッドカバー７の下端は、カム軸21の下方まで延長したことを特徴とするものである。
【００１５】
請求項６記載の発明は、前記内燃機関は、クランク軸８が車幅方向に指向して車両に搭載され、前記シリンダヘッドカバー７の後方に前記ドリブンスプロケット26が配置され、該シリンダヘッドカバー７の下端面は前方に向って斜め下に傾斜して形成されたことを特徴とするものである。
【００１６】
請求項７記載の発明は、前記シリンダヘッドカバー７に取付けられ、ブリーザ室46を構成するブリーザプレート51を備え、障壁52は前記ブリーザプレート51に一体に形成されたことを特徴とするものである。
【発明の効果】
【００１７】
請求項１記載の発明では、前記ドリブンスプロケット26の外周に沿い対向して円弧状に形成された障壁50が前記ドリブンスプロケット26から前記ブリーザ室46寄りに設けられているため、該ドリブンスプロケット26から遠心力により飛散したオイルミストが、前記障壁50により前記ブリーザ室46方向への移動が抑制され、該ブリーザ室46に流入するオイルミスト量が削減され、ブリーザ性能が向上する。
【００１８】
また、ブリーザ性能の向上により、前記ブリーザ室46の容積が減少する結果、車両搭載用４ストロークサイクル内燃機関の高さが短くなり、かつ車両搭載用４ストロークサイクル内燃機関の小型化と低重心化とが可能となる。
【００１９】
請求項２記載の発明では、前記ブリーザ室46のブリーザ室入口47、48は、ドリブンスプロケット26の回転中心軸に対し直交する方向に開口されたことを特徴しているため、前記ドリブンスプロケット26から飛散したオイルミストが、前記ブリーザ室入口47、48からブリーザ室46に流入することが抑制され、ブリーザ性能が向上するとともに、ブリーザ性能の向上により、該ブリーザ室46の容積が削減される結果、車両搭載用４ストロークサイクル内燃機関の小型化と低重心化が促進される。
【００２０】
請求項３記載の発明では、前記ドリブンスプロケット26の回転中心軸方向から見て、前記障壁50は下に開く逆Ｕ字形状に形成されているため、前記ドリブンスプロケット回転に伴う遠心力によって上方へ跳ね上げられて前記カムチェーン室35の頂壁面と前記障壁50の壁面とに付着したオイルが該障壁端縁部に集中し易くなり、オイルがまとまってカムチェーン室35の底部に滴下することになり、該オイルがカムチェーン28に衝突して再度飛散することが未然に阻止される。
【００２１】
請求項４記載の発明では、前記ドリブンスプロケット26の回転中心軸方向から見て、前記逆Ｕ字形状障壁50のいずれか一方または両方の端部はカムチェーンテンショナ36およびカムチェーンガイド37のいずれか一方または両方よりも外側に設けられているため、前記カムチェーン室35の頂壁面と前記障壁面とに付着して該障壁端縁部に集まって滴下するオイルが、カムチェーンに衝突して霧化するのが未然に防止される。
【００２２】
請求項５記載の発明では、前記障壁50はシリンダヘッドカバー７に一体に形成され、該シリンダヘッドカバー７の下端は、カムシャフト21の下方まで延長しているため、簡単に障壁50を形成できるのみならず、シリンダヘッドカバー７がカムスプロケット26を覆う面積を増大できる結果、シリンダヘッドカバー７が大型化しなくても前記障壁面が広くなり、オイルおよびオイルミストの捕集効果が高くなる。
【００２３】
請求項６記載の発明では、前記内燃機関は、クランク軸８が車幅方向に指向して車両に搭載され、前記シリンダヘッドカバー７の後方にドリブンスプロケット26が配置され、該シリンダヘッドカバー７の下端面は前方に向って斜め下に傾斜して形成されているため、前記障壁面がさらに広くなり、オイルおよびオイルミストの捕集効果がさらに一段と高くなる。
【００２４】
請求項７記載の発明では、前記シリンダヘッドカバー７に取付けられ、ブリーザ室46を構成するブリーザプレート51を備え、障壁52は前記ブリーザプレート51に一体に形成されているため、前記障壁52が簡単に構成されて、軽量化およびコストダウンが可能となる。
【図面の簡単な説明】
【００２５】
【図１】本願発明の車両搭載用４ストローク内燃機関の左クランクケースカバーを取外し、一部を縦断した左側面図である。
【図２】図１に図示の内燃機関のシリンダブロックの中心線に沿って截断した縦断面図である。
【図３】図２のIII−III線に沿って截断した縦断面図である。
【図４】図１に図示の内燃機関において、シリンダヘッドカバーを取外した平面図である。
【図５】図１に図示の内燃機関のブリーザ室を構成するための仕切板をシリンダヘッドカバーに取付けた裏面図である。
【図６】図１に図示の内燃機関のシリンダヘッドカバーを裏返した裏面図である。
【図７】図６に図示のシリンダヘッドカバーの裏面斜視図である。
【図８】ブリーザプレートの展開図である。
【図９】他の実施例において、ブリーザプレートに障壁を一体に結合した斜視図である。
【発明を実施するための形態】
【００２６】
以下、図１ないし図９に図示された実施例１および実施例２について説明する。
【実施例１】
【００２７】
図１ないし図７に図示された本発明に係る実施例１について説明する。
【００２８】
水冷頭上弁火花点火式単気筒４ストロークサイクル内燃機関１は、図示されない自動二輪車にシリンダがやや前方へ傾いて搭載される内燃機関であり、この水冷頭上弁火花点火式単気筒４ストロークサイクル内燃機関１では、左右に左クランクケース３、右クランクケース４が装着されたクランクケース２上に、シリンダブロック５、シリンダヘッド６およびシリンダヘッドカバー７が順次重ねられ、クランクケース２、シリンダブロック５、シリンダヘッド６は、これらを上下に貫通するボルトでもって、相互に一体に結合される。
【００２９】
また、クランクシャフト８は、車幅方向へ指向してクランクケース２に回転自在に枢支され、シリンダブロック５のシリンダ孔９に上下へ摺動自在にピストン10が嵌装され、該ピストン10とクランクシャフト８とはコネクティングロッド11を介して接続されており、シリンダヘッド６の下面中央の略断面三角形状の凹面とシリンダ孔９とピストン10の頂面とで燃焼室12が画成され、該燃焼室12内にてピストン10の上死点近傍で点火栓13により、燃焼室12内の混合気が点火され、その燃焼ガスの圧力により、ピストン10が下方へ押されて、クランクシャフト８が回転駆動されるようになっている。
【００３０】
さらに、前記シリンダヘッド６の車体後側（図３で右側）に左右１対の吸気ポート14が形成されるとともに、該シリンダヘッド６の車体前側（図３で左側）に左右１対の排気ポート15が形成され、該吸気ポート14および排気ポート15の開口をそれぞれ開閉する吸気弁16および排気弁17が、バルブ狭角の小さな角度で、ガイド筒18に摺動可能に嵌装され、該吸気弁16および排気弁17の頂端に設けられたリテーナ19と、シリンダヘッド６の頂面とにバルブスプリング20が介装されており、該バルブスプリング20のバネ力で吸気弁16および排気弁17は常に閉じられるようになっている。
【００３１】
さらにまた、図３に図示されるように、カムシャフト21がクランクシャフト８と平行になるように、該カムシャフト21をころがり軸受を介して回転自在に枢支するダイカスト製のカムシャフトホルダー25が、シリンダヘッド６に図示されないボルトでもって一体に装着され、該カムシャフト21の左端にカムチェーンスプロケットの内のドリブンスプロケット26が一体に嵌着され、クランクシャフト８の左側に嵌着されたドライブスプロケット27と該ドリブンスプロケット26とに無端状のカムチエン28が架渡され、ドライブスプロケット27とドリブンスプロケット26との歯数が２：１に設定されており、クランクシャフト８が回転すると、カムシャフト21は１／２の回転速度で回転駆動されるようになっている。
【００３２】
また、図１に図示されるように、カムシャフト21に対し車体前側（左側）下方に位置してカムシャフトホルダー25にロッカーアームシャフト29が嵌合され、該ロッカーアームシャフト29にロッカーアーム30が揺動自在に枢支され、該ロッカーアーム30の一端（車体後端側）の左右１対のブラケット31に軸32を介してローラ32ａが回転自在に枢支され、該ロッカーアーム30の他端は、左右へＵ字状に分岐して、その両先端は、車体前方（図１で左側）に位置している２個の排気弁17の頂端にそれぞれ当接され、前記ロッカーアーム30の一端のローラ32ａはカムシャフト21の中央のカム山22に車体前方の位置で当接されている。
【００３３】
さらに、車体後方（図１で右側）に位置している２個の吸気弁16の頂端には、リフタ33を介して、前記中央のカム山22の車体左右両側に位置したカム山23，24が当接され、これらカムシャフト21のカム山22，23，24は、水冷頭上弁火花点火式単気筒４ストロークサイクル内燃機関１の所要の運転状況に適合した吸気特性と排気特性とを吸気弁16および排気弁17に与えるように、それぞれ所定の形状に形成されている。
【００３４】
さらにまた、図２に図示されるように、側面視で吸気弁16と排気弁17との略中央に位置しやや前傾した状態で点火栓ガイド筒34がシリンダヘッド６と一体に形成され、該点火栓ガイド筒34の下端に点火栓13が着脱自在に嵌着されている。なお、該点火栓ガイド筒34はシリンダヘッド６に一体に圧入され、または、シリンダヘッド６に一体に鋳込まれてもよい。
【００３５】
図３、図４に図示されるように、水冷頭上弁火花点火式単気筒４ストロークサイクル内燃機関１内の左側にドリブンスプロケット26、ドライブスプロケット27が配置されている個所に位置してシリンダヘッド６からシリンダブロック５を介してクランクケース２と左クランクケース３との空間内のドライブスプロケット27に向ってカムチェン室35が形成され、図１に図示されるように、このカムチェン室35の後方には、カムチェン28の緩みを吸収するチェーンテンショナ36と、カムチェン室35の前方にはチェンガイド37とが配設されている。
【００３６】
シリンダヘッドカバー７の頂壁７ａには、図２、図６に図示されるように、前後方向略中央部で左右のカムシャフトホルダー25の上方に位置して下方へ凹んだ凹陥部７ｆが形成され、その凹陥部７ｆの孔を上方から下方へ貫通したボルト38がカムシャフトホルダー25のネジ孔に螺着されることにより、シリンダヘッドカバー７はシリンダヘッド６に取付けられるようになっている。
【００３７】
シリンダヘッドカバー７の頂部内面には、図５ないし図７に図示されるように、シリンダヘッドカバー７の頂壁７ａから下方へ垂下した四条の第１リブ40、第２リブ41、第３リブ42、第４リブ43が形成され、その内の第１リブ40はシリンダヘッドカバー７の右側壁７ｂの後方側に寄った個所から左方へ直角に突出し、その先端は二叉に分岐されて、その第１リブ40の一方の先端分岐リブ40ａは右側壁７ｂと平行して前方に指向し、他方の先端分岐リブ40ｂは斜左前方へ指向している。
【００３８】
また、第２リブ41は、図５ないし図７に図示されるように、シリンダヘッドカバー７の後壁７ｃから後記障壁50の内側に沿って前方に突出し、シリンダヘッドカバー７の凹陥部７ｆより後部にて右方へ折曲げられて折曲部41ａが形成され、この折曲部41ａから前方へ折返されて折返部41ｂが形成され、第１リブ40の折曲部40ｃと、第２リブ41の折曲部41ｃとに後記ブリーザプレート44を取付けるためのネジ孔40ｄ、41ｄが設けられている。
【００３９】
さらに、第３リブ42では、点火栓ガイド筒34の後方外周面２個所から２条の後方突出部42ａ、42ｂが形成され、右方の後方突出部42ａは左方へ直角に折曲されて左側の後方突出部42ｂに合体し、該両後方突出部42ａ、42ｂが合体した延長部42ｃは、ネジ孔41ｄを中心とする円弧面に曲げられた後、第２リブ41の折曲部41ａと略平行に形成されている。
【００４０】
さらにまた、シリンダヘッドカバー７の後壁７ｃの略左右中央部から第４リブ43が第３リブ42の円弧状延長部42ｃと略平行する方向へ突出し、その先端部43ａは、第３リブ42の円弧状延長部42ｃに向って略直角に折曲されている。
【００４１】
平板状のブリーザプレート44は、図５のハッチの入った部分の形状に形成され、該ブリーザプレート44には、第１リブ40、第２リブ41のネジ孔40ａ、41ａと同じ個所に円孔が形成されており、図３に図示されるように、ブリーザプレート44の円孔を下方から上方へ貫通してシリンダヘッドカバー７における第１リブ40、第２リブ41のネジ孔40ｄ、41ｄ螺着されるボルト45によって、ブリーザプレート44が第１リブ40、第２リブ41、第３リブ42、第４リブ43に密接した状態で取付けられ、これら第１リブ40、第２リブ41、第３リブ42、第４リブ43およびブリーザプレート44によってブリーザ室46が形成されている。
【００４２】
図５に図示されるように、ブリーザ室46の一方のブリーザ室入口47は、シリンダヘッドカバー７の頂壁７ａ、第１リブ40の一方の先端分岐リブ40ａ、第３リブ42の前方突出部42ａおよびブリーザプレート44の前端縁44ａとで構成され、ブリーザ室46の他方のブリーザ室入口48は、シリンダヘッドカバー７の頂壁７ａ、第２リブ41の折返部41ｂの前端縁41ｃ、第３リブ42の後方突出部42ｂおよびブリーザプレート44の前端縁44ｂとで構成され、ブリーザ室46は、ブリーザ室入口47に連通するブリーザ通路46ａと、ブリーザ室入口48に連通するブリーザ通路46ｂと、シリンダヘッドカバー７の頂壁７ａ、右側壁７ｂ、後壁７ｃおよび第１リブ40、第４リブ43で囲まれたブリーザ集合通路46ｃとにより構成され、このブリーザ集合通路46ｃにフリーザ室出口管49の先端が連通され、ブリーザ室46のブリーザ集合通路46ｃと、吸気ポート14に接続された図示されない吸気通路は図示されない連通管で連通されている。
【００４３】
この構造により、シリンダヘッド６とシリンダヘッドカバー７とで囲まれた水冷頭上弁火花点火式単気筒４ストロークサイクル内燃機関１の内部空間中に浮遊したブローバイガスとオイルミストは、ブリーザ室46のブリーザ室入口47、ブリーザ室入口48からブリーザ通路46ａ、46ｂを介してブリーザ集合通路46ｃを通過する間に、ブローバイガスとオイルミストが分離され、ブローバイガスはブリーザ集合通路46ｃからフリーザ室出口管49、図示されない連通管、吸気通路および吸気ポート14を介して燃焼室12内に吸入され、分離されたオイルは、前方に向って下方へ傾斜したブリーザプレート44（図２参照）上からブリーザ室入口47、ブリーザ室入口48を介してカムチェン室35の底部に落下するようになっている。
【００４４】
また、シリンダヘッドカバー７の頂壁７ａにおける左側部は、図１に図示されるように、ドリブンスプロケット26の外周面に沿って略円弧状に形成され、カムチェン室35の上部と、これより右方に位置した吸気弁16、排気弁17、カム山22、カム山23、カム山24、ロッカーアーム30、ブラケット31、リフタ33等よりなる動弁機構の上方空間の動弁室39とを遮る側面視円弧帯状の障壁50がシリンダヘッドカバー７の頂壁７ａの左側部に一体に形成され、この障壁50の下縁50ａは、側面視（図１参照）ドリブンスプロケット26の歯部分26ａの谷部を覆う程度の幅を有している。
【００４５】
図１ないし図７に図示された本発明に係る実施例１では、水冷頭上弁火花点火式単気筒４ストロークサイクル内燃機関１内で発生したブローバイガスとオイルミストがカムチェン室35に流入し、該カムチェン室35内を上昇して、カムチェン室35の上部に達した際に、カムチェン室35の上方周面部35ａと動弁室39の周面部とは、障壁50で仕切られているので、ドリブンスプロケット26およびカムチェン28から遠心力により飛散したオイルミストが障壁50により動弁室39へ移動するのが抑制され、動弁室39へ流入するオイルミスト量が減少し、ブリーザ性能が向上する。
【００４６】
また、ブリーザ性能の向上により、ブリーザ室46の容積が減少するため、水冷頭上弁火花点火式単気筒４ストロークサイクル内燃機関１の高さが低くなり、しかも、水冷頭上弁火花点火式単気筒４ストロークサイクル内燃機関１の小型化と低重心化とが可能となる。
【００４７】
さらに、障壁50の下線50ａは、側面図（図１参照）でドリブンスプロケット26の歯部分26ａの谷部を覆う程度の幅を有しているため、ドリブンスプロケット26およびカムチェン28から飛散したオイルミストが障壁50を越えて動弁室39へ流動することが阻止され、ブリーザ室46に流入するオイルミスト量が削減され、ブリーザ室46におけるブリーザ性能がさらに向上する。
【００４８】
さらにまた、障壁50がカムシャフト21の軸心方向から逆Ｕ字帯状に形成され、その下縁50ａの下端部が、シリンダヘッドカバー７の下縁線７ｇに迄延びているため、障壁50のカムチェン室35寄りの側面50ｂに付着したオイルは、動弁室39に流入することなく、その直下のカムチェン室35の底部に確実に落下でき、オイル消費量が低下する。
【００４９】
ブリーザ室46のブリーザ室入口47およびブリーザ室入口48はドリブンスプロケット26の回転面に対し平行に指向しているため、ドリブンスプロケット26から遠心力によって飛散するオイルミストは、ブリーザ室46のブリーザ室入口47およびブリーザ室入口48に向うことがなく、ブリーザ室46のブリーザ性能がさらに一段と向上する。
【００５０】
また、ドリブンスプロケット26の回転中心軸方向、すなわちカムシャフト21の中心軸方向から見て、逆Ｕ字形状の障壁50の両下端部がチェーンテンショナ36およびチェンガイド37よりも外側に位置しているため、該障壁50の側面50ｂに付着したオイルがその下縁50ａから下方へ落下する際に、チェーンテンショナ36の後方およびチェンガイド37の前方を落下して、チェーンテンショナ36およびチェンガイド37に付着しない結果、オイルの循環が円滑に行われ、オイルの劣化が阻止される。
【００５１】
本実施例１では、逆Ｕ字形状の障壁50の両下端部がいずれもチェーンテンショナ36およびチェンガイド37よりも外側に位置していたが、チェーンテンショナ36およびチェンガイド37のいずれか一方よりも逆Ｕ字形状の障壁50の端部が外側に位置してもよい。
【００５２】
さらに、障壁50はシリンダヘッドカバー７と一体に形成されているため、ブリーザ室46を簡単に形成できて、コストダウンが可能となる。
【００５３】
さらにまた、水冷頭上弁火花点火式単気筒４ストロークサイクル内燃機関１のクランクシャフト８は車幅方向に指向して車両に搭載され、シリンダヘッドカバー７の後方にドリブンスプロケット26が配置され、シリンダヘッドカバー７の下端線７ｇは車両前方へ向って下方へ傾斜しているため、障壁50の容積が増大し、オイルおよびオイルミストの捕集効果がさらに一段と向上する。
【００５４】
図１ないし図７に図示された実施例１では、軽合金製シリンダヘッドカバー７と一体の障壁50は、金属製ブリーザプレート44とは別体であったが、図８ないし図９に図示の実施例２では、金属製ブリーザプレート51と金属製障壁52とは、図８に図示されるように一体に形成され、図９に図示されるように、折り目53を中心にブリーザプレート51が下方へ直角に折曲されている。
【００５５】
図８ないし図９に図示の実施例２では、実施例１のようにシリンダヘッドカバーの頂壁下面に複数のリブを形成し、このリブの下面にブリーザプレートを取付けることによって、ブリーザ室を形成した４ストロークサイクル内燃機関において、シリンダヘッドカバーに障壁を予め形成しなくても、後付けで、障壁52をブリーザ室の側方に設けることができる。
【産業上の利用可能性】
【００５６】
以上説明した実施例１及び実施例２では本発明を単気筒内燃機関に適用したが、多気筒内燃機関にも勿論適用できる。
【符号の説明】
【００５７】
１…水冷頭上弁火花点火式単気筒４ストロークサイクル内燃機関、２…クランクケース、３…左クランクケース、４…右クランクケース、５…シリンダブロック、６…シリンダヘッド、７…シリンダヘッドカバー、８…クランクシャフト、９…シリンダ孔、10…ピストン、11…コネクティングロッド、12…燃焼室、13…点火栓、14…吸気ポート、15…排気ポート、16…吸気弁、17…排気弁、18…ガイド筒、19…リテーナ、20…バルブスプリング、21…カムシャフト、22…カム山、23…カム山、24…カム山、25…カムシャフトホルダー、26…ドリブンスプロケット、27…ドライブスプロケット、28…カムチェン、29…ロッカーアームシャフト、30…ロッカーアーム、31…ブラケット、32…軸、33…リフタ、34…点火栓ガイド筒、35…カムチェン室、36…チェンテンショナ、37…チェンガイド、38…ボルト、39…動弁室、40…第１リブ、41…第２リブ、42…第３リブ、43…第４リブ、44…ブリーザプレート、45…ボルト、46…ブリーザ室、47…ブリーザ室入口、48…ブリーザ室入口、49…ブリーザ室出口管、50…障壁、51…ブリーザプレート、52…障壁。
【図１】
2010229830.tif 000003
【図２】
2010229830.tif 000004
【図３】
2010229830.tif 000005
【図４】
2010229830.tif 000006
【図５】
2010229830.tif 000007
【図６】
2010229830.tif 000008
【図７】
2010229830.tif 000009
【図８】
2010229830.tif 000010
【図９】
2010229830.tif 000011